(57)【要約】  内視鏡装置は、被写体からの戻り光の光軸上に配置され、可視光の波長帯域を含む第１の波長帯域を分光して白色光観察用の撮像素子に入射させると共に、前記第１の波長帯域以外の第２の波長帯域を分光して前記光軸の方向とは異なる方向に出射する分光部と、前記被写体と前記分光部との間の前記光軸上に配置されて前記戻り光に含まれる第１及び第２の励起光のうちの少なくとも一方の励起光の波長帯域を阻止して阻止した波長帯域以外の波長帯域の前記戻り光を前記分光部に出射する第１の励起光カットフィルタと、前記分光部から出射された前記第２の波長帯域の光の光軸上に配置されて前記第１及び第２の励起光のうち前記第１の励起光カットフィルタによって阻止されない励起光の波長帯域及び前記可視光の波長帯域を阻止して阻止した波長帯域以外の波長帯域の光を蛍光観察用の撮像素子に出射する第２の励起光カットフィルタとを具備する。
2017047140.tif 000002
【特許請求の範囲】
【請求項１】
被写体からの戻り光の光軸上に配置され、可視光の波長帯域を含む第１の波長帯域を分光して白色光観察用の撮像素子に入射させると共に、前記第１の波長帯域以外の第２の波長帯域を分光して前記光軸の方向とは異なる方向に出射する分光部と、
前記被写体と前記分光部との間の前記光軸上に配置されて前記戻り光に含まれる第１及び第２の励起光のうちの少なくとも一方の励起光の波長帯域を阻止して阻止した波長帯域以外の波長帯域の前記戻り光を前記分光部に出射する第１の励起光カットフィルタと、
前記分光部から出射された前記第２の波長帯域の光の光軸上に配置されて前記第１及び第２の励起光のうち前記第１の励起光カットフィルタによって阻止されない励起光の波長帯域及び前記可視光の波長帯域を阻止して阻止した波長帯域以外の波長帯域の光を蛍光観察用の撮像素子に出射する第２の励起光カットフィルタと
を具備したことを特徴とする内視鏡装置。
【請求項２】
前記第２の励起光は前記第１の励起光よりも長波長であり、
前記第１の励起光、前記第２の励起光、前記第１の励起光に基づいて前記被写体から発生する第１の蛍光及び前記第２の励起光に基づいて前記被写体から発生する第２の蛍光は、前記可視光よりも長波長であり、
前記第１の励起光カットフィルタは、前記第２の励起光のみを阻止するシングルノッチフィルタにより構成され、
前記第２の励起光カットフィルタは、前記第１の蛍光の波長帯域よりも長波長を通過させるハイパスフィルタによって構成される
ことを特徴とする請求項１に記載の内視鏡装置。
【請求項３】
前記被写体からの戻り光に含まれ、前記第１の励起光に基づいて前記被写体から発生する第１の蛍光は、青色、緑色又は赤色であり、
前記被写体からの戻り光に含まれ、前記第２の励起光に基づいて前記被写体から発生する第２の蛍光は、前記可視光よりも長波長である
ことを特徴とする請求項１に記載の内視鏡装置。
【請求項４】
前記第１の波長帯域には、前記第１及び第２の励起光の波長帯域は含まれない
ことを特徴とする請求項１に記載の内視鏡装置。
【請求項５】
前記第１の波長帯域には、前記第１及び第２の励起光のいずれか一方の励起光の波長帯域が含まれる
ことを特徴とする請求項１に記載の内視鏡装置。
【請求項６】
前記第２の励起光は前記第１の励起光よりも長波長であり、
前記第１の励起光及び前記第１の励起光に基づいて前記被写体から発生する第１の蛍光は、前記可視光の波長帯域に含まれ、
前記第２の励起光及び前記第２の励起光に基づいて前記被写体から発生する第２の蛍光は、前記可視光よりも長波長であり、
前記第１の励起光カットフィルタは、前記第１及び第２の励起光の波長帯域を阻止し、
前記第２の励起光カットフィルタは、前記第１の蛍光の波長帯域及び前記第２の蛍光の波長帯域よりも長い波長帯域を通過させる
ことを特徴とする請求項１に記載の内視鏡装置。
【請求項７】
前記第２の励起光は前記第１の励起光よりも長波長であり、
前記第１の励起光及び前記第１の励起光に基づいて前記被写体から発生する第１の蛍光は、前記可視光の波長帯域に含まれ、
前記第２の励起光及び前記第２の励起光に基づいて前記被写体から発生する第２の蛍光は、前記可視光よりも長波長であり、
前記第１の励起光カットフィルタは、前記第１の励起光の波長帯域を阻止し、
前記第２の励起光カットフィルタは、前記第１の蛍光の波長帯域及び前記第２の蛍光の波長帯域よりも長い波長帯域を通過させる
ことを特徴とする請求項１に記載の内視鏡装置。
【請求項８】
前記第２の励起光は前記第１の励起光よりも長波長であり、
前記第１の励起光は、前記可視光の波長帯域に含まれ、
前記第１の励起光に基づいて前記被写体から発生する第１の蛍光、前記第２の励起光及び前記第２の励起光に基づいて前記被写体から発生する第２の蛍光は、前記可視光よりも長波長であり、
前記第１の励起光カットフィルタは、前記第１の励起光の波長帯域を阻止し、
前記第２の励起光カットフィルタは、前記第１の蛍光の波長帯域及び前記第２の蛍光の波長帯域よりも長い波長帯域を通過させる
ことを特徴とする請求項１に記載の内視鏡装置。
【発明の詳細な説明】
【技術分野】
【０００１】
本発明は、白色光観察及び蛍光観察に好適な内視鏡装置に関する。
【背景技術】
【０００２】
近年、分子標的薬剤を用いた癌診断技術が注目されている。癌細胞において特異的に発現する生体タンパク質をターゲットとした蛍光プローブ（蛍光薬剤）を生体の対象部位へ散布または注入した後、該対象部位において発せられる蛍光に基づいて癌の有無を判別する手法である。この手法は、消化管分野の癌の早期発見において有用である。【０００３】
内視鏡装置において、この技術を利用した蛍光観察による診断が可能である。即ち、光源装置からの励起光を被写体に照射し、癌に集積した蛍光薬剤からの蛍光を捉えることで癌の存在診断や悪性度などの質的診断を行うのである。【０００４】
ところで、診断に際して複数の蛍光薬剤を投与することもできる。蛍光薬剤の種類に応じた複数の波長帯域での蛍光観察が可能である。光源装置から各蛍光薬剤に対応した複数の波長帯域の励起光を出射させて被写体に照射することで、各励起光にそれぞれ対応した蛍光が得られる。一般的に、蛍光は励起光よりも長波長側に生じる。被写体から反射した励起光の反射光成分は、励起光から得られる蛍光のレベルよりも大きいことから、蛍光観察を行うためには、励起光の通過を阻止する励起光カットフィルタを用いる必要がある。【０００５】
また、白色光の照射による通常観察（白色光観察）と蛍光観察の両方を同時に行う装置も開発されている。欧州特許出願公開第２１２２３３１号明細書（以下、文献１という）には、白色光観察と蛍光観察とを同時に行う装置において、複数の波長帯域の励起光を１つの励起光カットフィルタによってカットする技術が開示されている。文献１の装置は、ビームスプリッタによって、白色光と励起光及び蛍光とを分離し、更に、励起光カットフィルタによって複数の波長帯域の励起光をカットする。こうして、白色光観察と複数の蛍光による蛍光観察を可能にしている。【０００６】
ところで、白色光の反射光のレベルは蛍光のレベルに比べて比較的高いことから、必ずしもビームスプリッタによって白色光を完全に分離することができるとは限らない。このため、文献１の提案では、励起光フィルタに白色光の漏れ光が入射してしまう。そうすると、この白色光の漏れ光による画像成分が蛍光に基づく画像（蛍光画像）に悪影響を与えて、蛍光画像の画質が劣化してしまうという問題があった。【０００７】
本発明は、白色光観察及び複数の励起光による蛍光観察を同時に行う場合でも、白色光を確実にカットして蛍光を取り出し、高精度の蛍光画像を得ることができる内視鏡装置を提供することを目的とする。
【発明の開示】
【課題を解決するための手段】
【０００８】
本発明の一態様による内視鏡装置は、被写体からの戻り光の光軸上に配置され、可視光の波長帯域を含む第１の波長帯域を分光して白色光観察用の撮像素子に入射させると共に、前記第１の波長帯域以外の第２の波長帯域を分光して前記光軸の方向とは異なる方向に出射する分光部と、前記被写体と前記分光部との間の前記光軸上に配置されて前記戻り光に含まれる第１及び第２の励起光のうちの少なくとも一方の励起光の波長帯域を阻止して阻止した波長帯域以外の波長帯域の前記戻り光を前記分光部に出射する第１の励起光カットフィルタと、前記分光部から出射された前記第２の波長帯域の光の光軸上に配置されて前記第１及び第２の励起光のうち前記第１の励起光カットフィルタによって阻止されない励起光の波長帯域及び前記可視光の波長帯域を阻止して阻止した波長帯域以外の波長帯域の光を蛍光観察用の撮像素子に出射する第２の励起光カットフィルタとを具備する。
【図面の簡単な説明】
【０００９】
【図１Ａ】本発明の第１の実施の形態に係る内視鏡装置を含む内視鏡システムを示すブロック図である。
【図１Ｂ】光源装置の他の例を示すブロック図である。
【図１Ｃ】図１Ｂの光源装置に採用される回転フィルタを示す説明図である。
【図２】パターンＡ−ａの例における励起光カットフィルタ２２，２４の設定と、光源装置３から出射され撮像素子２５，２６に至る光の変化との関係を示す説明図である。
【図３】パターンＡ−ａの例における光のフィルタ制御を示す説明図である。
【図４】パターンＢ−ｄの例における励起光カットフィルタ２２，２４の設定と、光源装置３から出射され撮像素子２５，２６に至る光の変化との関係を示す説明図である。
【図５】パターンＢ−ｄの例における光のフィルタ制御を示す説明図である。
【図６】パターンＡ−ｂの例における励起光カットフィルタ２２，２４の設定と、光源装置３から出射され撮像素子２５，２６に至る光の変化との関係を示す説明図である。
【図７】パターンＡ−ｂの例における光のフィルタ制御を示す説明図である。
【図８】パターンＡ−ｃの例における励起光カットフィルタ２２，２４の設定と、光源装置３から出射され撮像素子２５，２６に至る光の変化との関係を示す説明図である。
【図９】パターンＡ−ｃの例における光のフィルタ制御を示す説明図である。
【図１０】パターンＡ−ｄの例における励起光カットフィルタ２２，２４の設定と、光源装置３から出射され撮像素子２５，２６に至る光の変化との関係を示す説明図である。
【図１１】パターンＡ−ｄの例における光のフィルタ制御を示す説明図である。
【図１２】本発明の第２の実施の形態を示す説明図である。
【図１３】本発明の第３の実施の形態を示す説明図である。
【発明を実施するための最良の形態】
【００１０】
以下、図面を参照して本発明の実施の形態について詳細に説明する。【００１１】
（第１の実施の形態）
図１Ａは本発明の第１の実施の形態に係る内視鏡装置を含む内視鏡システムを示すブロック図である。【００１２】
内視鏡システム１は、図１Ａに示すように、被検体内に挿入されるとともに、当該被検体内における生体組織等の被写体を撮像して撮像信号として出力するように構成された内視鏡装置２と、当該被写体を照明するための照明光を内視鏡装置２に供給するように構成された光源装置３と、内視鏡装置２から出力される撮像信号に対して信号処理を施すことにより観察画像等を生成して出力するように構成されたビデオプロセッサ４と、ビデオプロセッサ４から出力される観察画像等を画面上に表示するように構成されたモニタ５と、を有している。【００１３】
内視鏡装置２は、細長の挿入部６を備えた光学視管２Ａと、光学視管２Ａの接眼部７に対して着脱可能なカメラユニット２Ｂと、を有して構成されている。光学視管２Ａは、被検体内に挿入される細長の挿入部６と、挿入部６の基端部に設けられた把持部８と、把持部８の基端部に設けられた接眼部７と、を有して構成されている。【００１４】
光源装置３は、白色光発生部３１と、励起光発生部３２と、ダイクロイックミラー３３及び３４と、集光レンズ３５と、光源制御部３６と、を有して構成されている。【００１５】
白色光発生部３１は、例えば、広帯域な白色光を発するキセノンランプまたはＬＥＤ等を具備して構成されている。また、白色光発生部３１は、光源制御部３６の制御に応じて点灯状態または消灯状態に切り替わるように構成されている。また、白色光発生部３１は、光源制御部３６の制御に応じた光量を具備する白色光を発生するように構成されている。【００１６】
なお、本実施の形態においては、光源装置３の代わりに、例えば、図１Ｂに示すような構成を有する光源装置３Ａを用いて内視鏡システム１を構成してもよい。【００１７】
光源装置３Ａは、図１Ｂに示すように、キセノンランプ７１と、フィルタ切替装置７２と、集光レンズ７３と、光源制御部７４と、を有して構成されている。キセノンランプ７１は、例えば、可視光から赤外帯域（２つの励起光波長帯域）を含む広帯域光であるＢＬ光を発するように構成されている。また、キセノンランプ７１は、光源制御部７４の制御に応じて点灯状態または消灯状態に切り替わるように構成されている。また、キセノンランプ７１は、点灯状態において、光源制御部７４の制御に応じた光量のＢＬ光を発生するように構成されている。【００１８】
フィルタ切替装置７２は、キセノンランプ７１から発せられる光の光路を垂直に横切るように設けられた回転フィルタ７２Ａと、光源制御部７４の制御に応じて回転駆動することにより、キセノンランプ７１から発せられる光の光路上に介挿するフィルタを回転フィルタ７２Ａの各フィルタのうちの１つに切り替えるモータ７２Ｂと、を有して構成されている。【００１９】
図１Ｃは図１Ｂの光源装置に設けられた回転フィルタの構成の一例を示す説明図である。回転フィルタ７２Ａは、例えば、円板形状を具備して形成されている。また、回転フィルタ７２Ａには、例えば、図１Ｃに示すように、白色光観察用フィルタ７２１と、蛍光観察用フィルタ７２２と、が設けられている。白色光観察用フィルタ７２１は、例えば、可視光帯域に含まれる光を透過させる一方で、可視光帯域以外の波長帯域に含まれる光を遮断するような光学特性を具備して形成されている。【００２０】
蛍光観察用フィルタ７２２は、例えば、蛍光観察に用いる所定の波長帯域に含まれる光を透過させる一方で、当該所定の波長帯域以外の波長帯域に含まれる光を遮断するような光学特性を具備して形成されている。なお、蛍光観察用フィルタ７２２は、蛍光観察に用いる所定の波長帯域として複数の波長帯域を透過させることができるように構成されていてもよい。【００２１】
すなわち、フィルタ切替装置７２は、光源制御回路７４の制御に応じてモータ７２Ｂを回転駆動することにより、白色光観察用フィルタ７２１及び蛍光観察用フィルタ７２２のうちの一方のフィルタをキセノンランプ７１から発せられる光の光路上に介挿させつつ、当該一方のフィルタとは異なる他方のフィルタを当該光路上から退避させることができるように構成されている。【００２２】
集光レンズ７３は、フィルタ切替装置７２を経て入射した光を集光してライトガイド１３へ出射するように構成されている。光源制御部７４は、ビデオプロセッサ４の制御部５３から出力される照明制御信号に基づき、キセノンランプ７１及びフィルタ切替装置７２に対する制御を行うように構成されている。【００２３】
具体的には、光源制御部７４は、制御部５３から出力される照明制御信号に基づき、例えば、内視鏡システム１の観察モードが白色光観察モードに設定されたことを検知した際に、所定の光量のＢＬ光を発生させるための制御をキセノンランプ７１に対して行うとともに、キセノンランプ７１から発せられる光の光路上に白色光観察用フィルタ７２１を介挿させるための制御をフィルタ切替装置７２のモータ７２Ｂに対して行うように構成されている。また、光源制御部７４は、制御部５３から出力される照明制御信号に基づき、例えば、内視鏡システム１の観察モードが蛍光観察モードに設定されたことを検知した際に、所定の光量のＢＬ光を発生させるための制御をキセノンランプ７１に対して行うとともに、キセノンランプ７１から発せられる光の光路上に蛍光観察用フィルタ７２２を介挿させるための制御をフィルタ切替装置７２のモータ７２Ｂに対して行うように構成されている。【００２４】
励起光発生部３２は、例えば、被検体内に投与される複数の蛍光薬剤の励起波長をそれぞれ含む複数の所定の波長帯域の光（励起光）をそれぞれ発する複数のＬＥＤ等を具備して構成されている。また、励起光発生部３２は、光源制御部３６の制御に応じて点灯状態または消灯状態に切り替わるように構成されている。また、励起光発生部３２は、光源制御部３６の制御に応じた光量の励起光を発生するように構成されている。【００２５】
ダイクロイックミラー３３は、例えば、白色光発生部３１から発せられる白色光を集光レンズ３５側へ透過させるとともに、励起光発生部３２から発せられる励起光を集光レンズ３５側へ反射するような光学特性を具備して形成されている。【００２６】
ダイクロイックミラー３４は、例えば、励起光発生部３２から発せられる励起光をダイクロイックミラー３３側へ反射するような光学特性を具備して形成されている。【００２７】
集光レンズ３５は、ダイクロイックミラー３３を経て入射される光を集光してライトガイド１３へ出射するように構成されている。【００２８】
光源制御部３６は、ビデオプロセッサ４から出力される照明制御信号に応じて白色光発生部３１及び励起光発生部３２に対する制御を行うように構成されている。【００２９】
光学視管２Ａの挿入部６の内部には、ケーブル１３ａを介して供給される照明光を伝送するためのライトガイド１１が挿通されている。ライトガイド１１の出射端部は、挿入部６の先端部における照明レンズ１５の近傍に配置されている。また、ライトガイド１１の入射端部は、把持部８に設けられたライトガイド口金１２に配置されている。【００３０】
ケーブル１３ａの内部には、光源装置３から供給される照明光を伝送するためのライトガイド１３が挿通されている。また、ケーブル１３ａの一方の端部には、ライトガイド口金１２に対して着脱可能な接続部材（不図示）が設けられている。また、ケーブル１３ａの他方の端部には、光源装置３に対して着脱可能なライトガイドコネクタ１４が設けられている。【００３１】
挿入部６の先端面には、ライトガイド１１により伝送された照明光を外部へ出射するための照明レンズ１５が配置された照明窓（不図示）と、外部から入射される光に応じた光学像を得るための対物レンズ１７が配置された対物窓（不図示）と、が相互に隣接して設けられている。【００３２】
挿入部６の内部には、対物レンズ１７により得られた光学像を接眼部７へ伝送するためのリレーレンズ１８が設けられている。接眼部７の内部には、リレーレンズ１８により伝送された光学像を肉眼で観察可能とするための接眼レンズ１９が設けられている。【００３３】
カメラユニット２Ｂは、光学部２１、撮像素子２５，２６及び信号処理回路２７を有している。光学部２１は、接眼レンズ１９を経て入射される被写体の戻り光から白色光画像を生成するための白色光を取り出すと共に、接眼レンズ１９を経て入射される被写体の戻り光から蛍光画像を生成するための蛍光を取り出すようになっている。光学部２１によって取り出された白色光は白色光画像を生成する撮像素子２５の撮像面に入射され、光学部２１によって取り出された蛍光は蛍光画像を生成する撮像素子２６の撮像面に入射されるようになっている。【００３４】
撮像素子２５は、例えば、原色系または補色系のカラーフィルタを撮像面に設けたカラーＣＣＤにより構成されている。また、撮像素子２５は、ビデオプロセッサ４から出力される撮像素子駆動信号に応じた撮像動作を行うように構成されている。撮像素子２５は、光学部２１によって結像された白色光を撮像し、当該撮像した白色光に応じた白色光画像を生成して出力するように構成されている。【００３５】
撮像素子２６は、例えば、高感度なモノクロＣＣＤにより構成されている。また、撮像素子２６は、ビデオプロセッサ４から出力される撮像素子駆動信号に応じた撮像動作を行うように構成されている。撮像素子２６は、光学部２１によって結像された蛍光を撮像し、当該撮像した蛍光に応じた蛍光画像を生成して出力するように構成されている。【００３６】
光学部２１は、第１の励起光カットフィルタである励起光カットフィルタ２２、第２の励起光カットフィルタである励起光カットフィルタ２４と分光部であるビームスプリッタ２３によって構成されている。励起光カットフィルタ２２，２４は、光源装置３から発せられる励起光の波長帯域をカットする分光特性を備えている。また、ビームスプリッタ２３は、接眼レンズ１９からの光が励起光カットフィルタ２２を介して入射され、入射した光を白色光帯域とそれ以外とに分離する。ビームスプリッタ２３は、分離した白色光帯域の光を通過させて撮像素子２５に導き、通過させた波長帯域以外の波長帯域の光を反射して励起光カットフィルタ２４を介して撮像素子２６に導くようになっている。【００３７】
なお、本実施の形態においては、後述するように、励起光及び蛍光の波長帯域に応じて、励起光カットフィルタ２２，２４及びビームスプリッタ２３の特性を適宜設定するようになっている。【００３８】
信号処理回路２７は、撮像素子２５から出力される白色光画像及び撮像素子２６から出力される蛍光画像に対して、例えば、相関二重サンプリング処理、ゲイン調整処理、及び、Ａ／Ｄ変換処理等の所定の信号処理を施すとともに、当該所定の信号処理を施した蛍光画像及び白色光画像を、信号ケーブル２８を介してビデオプロセッサ４に出力するように構成されている。【００３９】
ビデオプロセッサ４の撮像素子駆動部４１は、例えば、ドライバ回路等を具備して構成されている。撮像素子駆動部４１は、制御部５３の制御に応じた撮像素子駆動信号を生成して出力するように構成されている。画像入力部４２は、例えば、バッファメモリ等を具備し、カメラユニット２Ｂの信号処理回路２７から順次出力される画像を１フレーム分蓄積するとともに、当該蓄積した画像を１フレーム分ずつ画像処理部４６に出力するように構成されている。また、画像入力部４２は、制御部５３の制御に応じ、蓄積した白色光画像を１フレーム分ずつ画像処理部４６に出力するように構成されている。また、画像入力部４２は、制御部５３の制御に応じ、蓄積した蛍光画像を１フレーム分ずつ画像処理部４６に出力するように構成されている。【００４０】
画像処理部４６は、例えば、所定の画像処理を行うための画像処理回路等を具備して構成されている。また、画像処理部４６は、制御部５３の制御に応じ、画像入力部４２から１フレーム分ずつ順次出力される白色光画像に対して所定の画像処理を施すことにより白色光画像を生成し、当該生成した白色光画像をモニタ５に出力するように構成されている。また、画像処理部４６は、制御部５３の制御に応じ、画像入力部４２から１フレーム分ずつ順次出力される蛍光画像に対して所定の画像処理を施すことにより蛍光画像を生成し、当該生成した蛍光画像をモニタ５に出力するように構成されている。【００４１】
制御部５３は、例えば、ＣＰＵ等のプロセッサにより構成することができる。制御部５３は、図示しないメモリに記憶されたプログラムを読出し、読出したプログラムに従って各部を制御するように構成されていてもよい。入力Ｉ／Ｆ５２は、ユーザの操作に応じた指示を行うことが可能な１以上の入力装置からの操作信号を受け付ける。制御部５３は、入力Ｉ／Ｆ５２を介して入力された操作信号に基づいて各部を制御するように構成されていてもよい。また、制御部５３は、内視鏡システム１の観察モードに応じた照明光を出射させるための照明制御信号を生成して光源制御部３６に出力するように構成されている。【００４２】
本実施の形態においては、制御部５３は光源装置３を制御して、白色光の照射による白色光観察と、２種類の蛍光色素から発する蛍光による蛍光観察とを同時に行う同時観察モードで各部を制御することができるようになっている。即ち、この同時観察モードにおいては、制御部５３は、白色光と２種類の蛍光色素の蛍光のための２種類の励起光とを発生するように、光源制御部３６を制御する。また、光源装置として図１Ｂの光源装置３Ａが採用される場合には、制御部５３は、白色光の照射による白色光観察と、２種類の蛍光色素から発する蛍光による蛍光観察とを時分割に切換ながら実施するように各部を制御することができるようになっている。【００４３】
なお、本実施の形態においては、取得する２種類の蛍光のうち、少なくとも１種類の蛍光は可視光よりも長波長であるものとする。【００４４】
ところで、励起光の波長帯域が白色光の波長帯域（可視光の波長帯域）内に存在する場合と存在しない場合とがある。励起光の波長帯域が白色光の波長帯域内に存在する場合には、白色光画像の生成に際して、励起光の戻り光成分を白色光画像の作成に用いることが考えられる。なお、後述するように、励起光及び蛍光の波長帯域によっては、可視光のうち一部の波長帯域の成分を含まない光によって白色光画像を生成する場合もあるので、以下の説明では、可視光の一部の波長帯域を含まない光についても、白色光として説明することもある。【００４５】
励起光の波長帯域と白色光の波長帯域との関係によって、画像処理部４６における白色光画像の生成パターンとしては、以下の３つのパターンＡ〜Ｃがある。本実施の形態においては、これらの３つのパターンＡ〜ＣのうちパターンＡ，Ｂの場合が適用可能である。なお、２種類の励起光のうち波長が長い方の励起光をＬ励起光といい、波長が短い方の励起光をＳ励起光というものとする。【００４６】
Ａ…Ｓ，Ｌ励起光の戻り光成分を白色光画像の作成に使用しない
Ｂ…Ｓ，Ｌ励起光の戻り光成分のいずれか一方のみを白色光画像の作成に使用する
Ｃ…Ｓ，Ｌ励起光の戻り光成分の両方を白色光画像の作成に使用する。【００４７】
更に、パターンＡには、以下の４つのパターンａ〜ｄが考えられる。なお、２種類の蛍光のうち、波長が長い方の蛍光をＬ蛍光といい、波長が短い方の蛍光をＳ蛍光というものとする。【００４８】
Ａ−ａ…Ｓ，Ｌ蛍光はいずれも可視光より長波長
Ａ−ｂ…Ｓ蛍光は青色（Ｂ）、Ｌ蛍光は可視光より長波長
Ａ−ｃ…Ｓ蛍光は緑色（Ｇ）、Ｌ蛍光は可視光より長波長
Ａ−ｄ…Ｓ蛍光は赤色（Ｒ）、Ｌ蛍光は可視光より長波長。【００４９】
また、パターンＢにも、同様の４つのパターンａ〜ｄが考えられる。【００５０】
Ｂ−ａ…Ｓ，Ｌ蛍光はいずれも可視光より長波長
Ｂ−ｂ…Ｓ蛍光は青色（Ｂ）、Ｌ蛍光は可視光より長波長
Ｂ−ｃ…Ｓ蛍光は緑色（Ｇ）、Ｌ蛍光は可視光より長波長
Ｂ−ｄ…Ｓ蛍光は赤色（Ｒ）、Ｌ蛍光は可視光より長波長。【００５１】
本実施の形態においては、上述したパターンＡ−ａ〜Ａ−ｄ及びパターンＢ−ａ〜Ｂ−ｄにおいて、１つのビームスプリッタ２３及び２種類の励起光カットフィルタ２２，２４を用いて、確実に白色光と２種類の蛍光とを分離して、高精度に白色光画像及び蛍光画像を取得することを可能にする。【００５２】
（白色光と２種類の蛍光の分離）
次に、このような構成の光学部２１を用いて、白色光と２種類の蛍光とを分離する方法について、図２乃至図１１を参照して説明する。図２、図４、図６、図８及び図１０は、それぞれパターンＡ−ａ，Ｂ−ｄ，Ａ−ｂ〜Ａ−ｄの例における励起光カットフィルタ２２，２４の設定と、光源装置３から出射され撮像素子２５，２６に至る光の変化との関係を示す説明図である。また、図３、図５、図７、図９及び図１１は、それぞれ、パターンＡ−ａ，Ｂ−ｄ，Ａ−ｂ〜Ａ−ｄの例における光のフィルタ制御を示す説明図である。【００５３】
ところで、一般的に、励起光カットフィルタは、励起光の波長成分をカットして、蛍光の波長成分を通過させる。このような励起光カットフィルタは、複数の膜を積層して構成する。なお、成膜の方法としては、イオンアシスト蒸着等の方法がある。そして、入射光と出射光との比の対数であるＯＤ（光学濃度）値が大きくなるようにフィルタ特性を設計する。しかしながら、高いＯＤ値を得るためには、つまり、フィルタ特性を急峻にして、確実に蛍光のみを通過させるようにするためには、積層する膜数を多くする必要がある。【００５４】
しかも、文献１の提案のように、１つの励起光カットフィルタで２つの波長帯域の励起光をカットするためには、２箇所にノッチを有するフィルタを構成する必要がある。ノッチフィルタとして十分な特性を得るためには、ハイパスフィルタやローパスフィルタに比べて、より多くの膜を積層して構成する必要がある。更に、２箇所にノッチを有するダブルノッチフィルタでは必要な膜数がシングルノッチフィルタに比べて極めて多くなる。【００５５】
積層する膜数が極めて多い場合には、膜厚誤差により、所望のＯＤ値や波長特性が得にくくなる。しかも、膜数が多い場合にはフィルタ自体の変形が生じやすい。このため、文献１の提案では、所望の特性の励起光カットフィルタの製造歩留まりは極めて悪いという欠点があった。【００５６】
本実施の形態においては、パターンＡ−ａについては、励起光カットフィルタ２２，２４として、１つのノッチ又はハイパス特性のフィルタによって構成することを可能にしている。これにより、パターンＡ−ａの場合には、励起光カットフィルタ２２，２４としては、比較的膜数が少なく、製造歩留まりが高い製品を採用することが可能である。【００５７】
（パターンＡ−ａ）
図２に示すように、同時観察モードにおいては、光源装置３から白色光、Ｓ励起光及びＬ励起光を含む光が出射される。図３に示すように、パターンＡ−ａにおいては、Ｓ，Ｌ励起光のいずれも、可視光より長波長であり、Ｓ励起光の波長帯域は可視光の波長帯域に連続した長波長側の帯域である。光源装置３からの光は、挿入部６のライトガイド１１に伝送されて、照明レンズ１５から被写体表面６１に照射される。被写体表面６１からの戻り光には、白色光、Ｌ，Ｓ励起光の戻り光（以下、単に白色光、Ｌ，Ｓ励起光という）の他に、Ｌ励起光によって発生するＬ蛍光及びＳ励起光によって発生するＳ蛍光が含まれる。【００５８】
なお、図３の光源装置３、励起光カットフィルタ２２，２４は、太線によって透過率が高い領域を示している。また、図３の最下段は一点鎖線、破線、実線、２点鎖線によって、それぞれ戻り光の青色帯域（Ｂｃｈ）、緑色帯域（Ｇｃｈ）、赤色帯域（Ｒｃｈ）及び近赤外帯域（ＩＲ）の感度特性を示している。図３に示すように、Ｓ励起光の長波長側に近赤外域のＳ蛍光（ＩＲＳ）が発生し、Ｌ励起光の長波長側に近赤外域のＬ蛍光（ＩＲＬ）が発生する。【００５９】
被写体からの戻り光は、接眼レンズ１９を介して光学部２１の励起光カットフィルタ２２に入射する。この場合には、励起光カットフィルタ２２は、Ｌ励起光の波長帯域にノッチ特性を有するノッチフィルタによって構成されており、入射光からＬ励起光成分を除去し、Ｌ励起光波長帯域以外の波長帯域を透過させる。こうして、この場合には、励起光カットフィルタ２２を白色光、Ｓ励起光、Ｓ，Ｌ蛍光を含む光が通過してビームスプリッタ２３に入射する。【００６０】
ビームスプリッタ２３は、図３に示すように、可視光帯域を通過させ、それ以外の帯域を反射させる。こうして、撮像素子２５には、可視光帯域である白色光が入射する。【００６１】
一方、ビームスプリッタ２３は、可視光帯域以外の光については光軸を９０度変化させて、励起光カットフィルタ２４に出射する。図３に示すように、この場合には、励起光カットフィルタ２４は、可視光及びＳ励起光を含む波長帯域をカットし、それ以外の波長帯域を通過させるハイパスフィルタにより構成される。即ち、励起光カットフィルタ２４を通過する光は、Ｓ蛍光の波長帯域（近赤外帯域（ＩＲＳ）とＬ蛍光以上の波長帯域（近赤外帯域（ＩＲＬ））である。こうして、撮像素子２６には、Ｓ蛍光及びＬ蛍光が入射する。【００６２】
このようにパターンＡ−ａにおいては、励起光カットフィルタ２２は可視光の波長帯域よりも長波長のＬ励起光をカットするノッチフィルタによって構成され、励起光カットフィルタ２４は可視光の波長帯域を含みＳ励起光の波長帯域よりも短波長側をカットするハイパスフィルタによって構成される。文献１等の技術では、２種類の励起光をカットするために、２箇所にノッチ特性を有するダブルノッチフィルタを採用する必要があった。これに対し、本実施の形態においては、励起光カットフィルタ２２，２４は、シングルノッチフィルタ又はハイパスフィルタによって構成することができる。従って、各フィルタ２２，２４は、比較的少ない膜数で構成することができ、比較的高い歩留まりを得ることができる。【００６３】
仮に、励起光カットフィルタ２２を、Ｓ励起光をカットするノッチフィルタによって構成した場合には、励起光カットフィルタ２４においてＬ励起光をカットする必要が生じ、励起光カットフィルタ２４もＬ励起光をカットするノッチフィルタによって構成する必要がある。この場合でも、シングルノッチフィルタはダブルノッチフィルタよりも少ない膜数で構成することは可能であるが、ハイパスフィルタよりも膜数は多くなる。この理由から、本実施の形態においては、入射光が先に入射される励起光カットフィルタ２２は、Ｌ励起光をカットするノッチフィルタによって構成し、励起光カットフィルタ２４については、可視光帯域を含むＳ励起光の波長帯域より短波長側をカットするハイパスフィルタによって構成するようにしている。これにより、特に、励起光カットフィルタ２４については、膜数を十分に低減して、高い歩留まりを得ることができる。【００６４】
また、励起光カットフィルタ２４に入射される光は、可視光以外の波長帯域を分離して反射させるビームスプリッタ２３の出射光であり、励起光カットフィルタ２４を、可視光帯域を含むＳ励起光の波長帯域より短波長側をカットするハイパスフィルタによって構成することにより、ビームスプリッタ２３及び励起光カットフィルタ２４の両方のフィルタによって、可視光をカットするようになっている。可視光は２つのフィルタによってカットされることから、励起光カットフィルタ２４からは可視光（白色光）成分が十分に除去された光が出射される。これにより、撮像素子２６によって得られる蛍光画像には、白色光による成分が含まれないので、高精度の蛍光画像が得られる。【００６５】
（パターンＢ−ｄ）
図４及び図５はそれぞれ図２又は図３と同様の記載方法により記載したものであり、図４及び図５はパターンＢ−ｄにおける励起光カットフィルタ２２，２４及びビームスプリッタ２３を通過する光を説明するものである。図５に示すように、パターンＢ−ｄにおいては、Ｌ励起光は可視光より長波長であり、Ｓ励起光の波長帯域は可視光の波長帯域中の最も長波長側の帯域である。被写体表面６１からの戻り光には、白色光、Ｌ，Ｓ励起光、Ｌ蛍光及びＳ蛍光が含まれる。図５に示すように、Ｓ励起光の長波長側に赤色のＳ蛍光（Ｒ）が発生し、Ｌ励起光の長波長側に近赤外域のＬ蛍光（ＩＲ）が発生する。【００６６】
被写体からの戻り光は、励起光カットフィルタ２２に入射する。この場合には、励起光カットフィルタ２２は、Ｌ励起光の波長帯域にノッチ特性を有するノッチフィルタによって構成されており、入射光からＬ励起光成分を除去し、Ｌ励起光波長帯域以外の波長帯域を透過させる。こうして、この場合には、励起光カットフィルタ２２を白色光、Ｓ励起光、Ｌ，Ｓ蛍光を含む光が通過してビームスプリッタ２３に入射する。【００６７】
ビームスプリッタ２３は、図５に示すように、可視光波長帯域及びＳ励起光波長帯域を通過させ、それ以外の帯域を反射させる。こうして、撮像素子２５には、可視光及びＳ励起光波長帯域による白色光が入射する。【００６８】
一方、ビームスプリッタ２３は、可視光及びＳ励起光波長帯域以外の光については光軸を９０度変化させて、励起光カットフィルタ２４に出射する。図５に示すように、この場合には、励起光カットフィルタ２４は、可視光及びＳ励起光を含む波長帯域をカットし、それ以外の波長帯域を通過させるハイパスフィルタにより構成される。即ち、励起光カットフィルタ２４を通過する光は、赤色のＳ蛍光（ＩＲ）と近赤外帯域のＬ蛍光（ＩＲ）以上の波長帯域である。こうして、撮像素子２６には、Ｓ蛍光及びＬ蛍光が入射する。【００６９】
このようにパターンＢ−ｄにおいては、励起光カットフィルタ２２は可視光の波長帯域よりも長波長のＬ励起光をカットするノッチフィルタによって構成され、励起光カットフィルタ２４は可視光の波長帯域を含みＳ励起光の波長帯域よりも短波長側をカットするハイパスフィルタによって構成される。従って、各フィルタ２２，２４は、比較的少ない膜数で構成することができ、比較的高い歩留まりを得ることができる。【００７０】
また、パターンＢ−ｄにおいても、入射光が先に入射される励起光カットフィルタ２２は、Ｌ励起光をカットするノッチフィルタによって構成し、励起光カットフィルタ２４については、可視光帯域を含むＳ励起光の波長帯域より短波長側をカットするハイパスフィルタによって構成するようにしている。これにより、特に、励起光カットフィルタ２４については、膜数を十分に低減して、高い歩留まりを得ることができる。【００７１】
そして本実施の形態においては、励起光カットフィルタ２４に入射される光は、可視光及びＳ励起光以外の波長帯域を分離して反射させるビームスプリッタ２３の出射光であり、励起光カットフィルタ２４を、可視光帯域を含むＳ励起光の波長帯域より短波長側をカットするハイパスフィルタによって構成することにより、ビームスプリッタ２３及び励起光カットフィルタ２４の両方のフィルタによって、可視光をカットするようになっている。可視光は２つのフィルタによってカットされることから、励起光カットフィルタ２４からは可視光（白色光）成分が十分に除去された光が出射される。これにより、撮像素子２６によって得られる蛍光画像には、白色光による成分が含まれないので、高精度の蛍光画像が得られる。【００７２】
（パターンＡ−ｂ）
図６及び図７はそれぞれ図２又は図３と同様の記載方法により記載したものであり、図６及び図７はパターンＡ−ｂにおける励起光カットフィルタ２２，２４及びビームスプリッタ２３を通過する光を説明するものである。図７に示すように、パターンＡ−ｂにおいては、Ｌ励起光のみが可視光より長波長であり、Ｓ励起光の波長帯域は可視光の波長帯域中の最も単波長側の帯域である。被写体表面６１からの戻り光には、白色光、Ｌ，Ｓ励起光、Ｌ蛍光及びＳ蛍光が含まれる。図７に示すように、Ｓ励起光の長波長側に青色のＳ蛍光（Ｂ）が発生し、Ｌ励起光の長波長側に近赤外域のＬ蛍光（ＩＲ）が発生する。【００７３】
被写体からの戻り光は、励起光カットフィルタ２２に入射する。この場合には、励起光カットフィルタ２２は、Ｓ励起光の波長帯域及びＬ励起光の波長帯域を含む帯域にノッチ特性を有するダブルノッチフィルタによって構成されており、入射光からＳ，Ｌ励起光成分を除去し、それ以外の波長帯域を透過させる。こうして、この場合には、励起光カットフィルタ２２を白色光、Ｌ，Ｓ蛍光を含む光が通過してビームスプリッタ２３に入射する。【００７４】
ビームスプリッタ２３は、図７に示すように、青色より長波長側の可視光波長帯域を通過させ、それ以外の帯域を反射させる。こうして、撮像素子２５には、青色より長波長側の可視光による白色光が入射する。【００７５】
一方、ビームスプリッタ２３は、青色より長波長側の可視光の波長帯域以外の光については光軸を９０度変化させて、励起光カットフィルタ２４に出射する。図７に示すように、この場合には、励起光カットフィルタ２４は、可視光及びＳ，Ｌ励起光を含む波長帯域をカットし、青色のＳ蛍光（Ｂ）の波長帯域及び近赤外帯域のＬ蛍光（ＩＲ）より長波長側の波長帯域を通過させる。即ち、励起光カットフィルタ２４を通過する光は、青色のＳ蛍光（Ｂ）と近赤外帯域のＬ蛍光（ＩＲ）以上の波長帯域である。こうして、撮像素子２６には、Ｓ蛍光及びＬ蛍光が入射する。【００７６】
このようにパターンＡ−ｂにおいては、励起光カットフィルタ２４に入射される光は、青色より長波長側の可視光以外の波長帯域を分離して反射させるビームスプリッタ２３の出射光であり、励起光カットフィルタ２４には、可視光がカットされた光がビームスプリッタ２３から入射される。更に、励起光カットフィルタ２４は、青色のＳ蛍光（Ｂ）及び近赤外帯域のＬ蛍光（ＩＲ）より長波長の波長帯域のみを通過させるようになっており、励起光カットフィルタ２４において可視光がカットされる。このように、ビームスプリッタ２３及び励起光カットフィルタ２４の両方のフィルタによって、可視光をカットするようになっており、励起光カットフィルタ２４からは可視光（白色光）成分が十分に除去された光が出射される。これにより、撮像素子２６によって得られる蛍光画像には、白色光による成分が含まれないので、高精度の蛍光画像が得られる。【００７７】
（パターンＡ−ｃ）
図８及び図９はそれぞれ図２又は図３と同様の記載方法により記載したものであり、図８及び図９はパターンＡ−ｃにおける励起光カットフィルタ２２，２４及びビームスプリッタ２３を通過する光を説明するものである。図９に示すように、パターンＡ−ｃにおいては、Ｌ励起光のみが可視光より長波長であり、Ｓ励起光の波長帯域は可視光の波長帯域中の緑色帯域の短波長側の帯域である。被写体表面６１からの戻り光には、白色光、Ｌ，Ｓ励起光、Ｌ蛍光及びＳ蛍光が含まれる。図９に示すように、Ｓ励起光の長波長側に緑色のＳ蛍光（Ｇ）が発生し、Ｌ励起光の長波長側に近赤外域のＬ蛍光（ＩＲ）が発生する。【００７８】
被写体からの戻り光は、励起光カットフィルタ２２に入射する。この場合には、励起光カットフィルタ２２は、Ｓ励起光の波長帯域にノッチ特性を有するシングルノッチフィルタによって構成されており、入射光からＳ励起光成分を除去し、それ以外の波長帯域を透過させる。こうして、この場合には、励起光カットフィルタ２２を白色光、Ｌ励起光、Ｌ，Ｓ蛍光を含む光が通過してビームスプリッタ２３に入射する。【００７９】
ビームスプリッタ２３は、図９に示すように、緑色の波長帯域を除く可視光波長帯域を通過させ、それ以外の帯域を反射させる。こうして、撮像素子２５には、緑色の波長帯域を除く可視光による白色光が入射する。【００８０】
一方、ビームスプリッタ２３は、緑色を除く可視光の波長帯域以外の光については光軸を９０度変化させて、励起光カットフィルタ２４に出射する。図９に示すように、この場合には、励起光カットフィルタ２４は、可視光及びＬ励起光を含む波長帯域をカットし、緑色のＳ蛍光（Ｇ）の波長帯域及び近赤外帯域のＬ蛍光（ＩＲ）より長波長側の波長帯域を通過させる。即ち、励起光カットフィルタ２４を通過する光は、緑色のＳ蛍光（Ｇ）と近赤外帯域のＬ蛍光（ＩＲ）以上の波長帯域である。こうして、撮像素子２６には、Ｓ蛍光及びＬ蛍光が入射する。【００８１】
このようにパターンＡ−ｃにおいては、励起光カットフィルタ２４に入射される光は、緑色を除く可視光以外の波長帯域を分離して反射させるビームスプリッタ２３の出射光であり、励起光カットフィルタ２４には、可視光がカットされた光がビームスプリッタ２３から入射される。更に、励起光カットフィルタ２４は、緑色のＳ蛍光（Ｇ）及び近赤外帯域のＬ蛍光（ＩＲ）より長波長の波長帯域のみを通過させるようになっており、励起光カットフィルタ２４において可視光がカットされる。このように、ビームスプリッタ２３及び励起光カットフィルタ２４の両方のフィルタによって、可視光をカットするようになっており、励起光カットフィルタ２４からは可視光（白色光）成分が十分に除去された光が出射される。これにより、撮像素子２６によって得られる蛍光画像には、白色光による成分が含まれないので、高精度の蛍光画像が得られる。【００８２】
（パターンＡ−ｄ）
図１０及び図１１はそれぞれ図２又は図３と同様の記載方法により記載したものであり、図１０及び図１１はパターンＡ−ｄにおける励起光カットフィルタ２２，２４及びビームスプリッタ２３を通過する光を説明するものである。図１１に示すように、パターンＡ−ｄにおいては、Ｓ励起光及びＬ励起光のいずれも可視光より長波長である。なお、Ｓ励起光の波長帯域は可視光の波長帯域に連続した長波長側の帯域である。被写体表面６１からの戻り光には、白色光、Ｌ，Ｓ励起光、Ｌ蛍光及びＳ蛍光が含まれる。図１１に示すように、Ｓ励起光の長波長側に赤のＳ蛍光（Ｒ）が発生し、Ｌ励起光の長波長側に近赤外域のＬ蛍光（ＩＲ）が発生する。【００８３】
被写体からの戻り光は、励起光カットフィルタ２２に入射する。この場合には、励起光カットフィルタ２２は、Ｓ励起光の波長帯域にノッチ特性を有するシングルノッチフィルタによって構成されており、入射光からＳ励起光成分を除去し、それ以外の波長帯域を透過させる。こうして、この場合には、励起光カットフィルタ２２を白色光、Ｌ励起光、Ｌ，Ｓ蛍光を含む光が通過してビームスプリッタ２３に入射する。【００８４】
ビームスプリッタ２３は、図１１に示すように、可視光の波長帯域及びＳ励起光の波長帯域を含む波長帯域を通過させ、それ以外の帯域を反射させる。こうして、撮像素子２５には、可視光及びＳ励起光による白色光が入射する。【００８５】
一方、ビームスプリッタ２３は、可視光及びＳ励起光の波長帯域以外の光については光軸を９０度変化させて、励起光カットフィルタ２４に出射する。図１１に示すように、この場合には、励起光カットフィルタ２４は、可視光及びＳ，Ｌ励起光を含む波長帯域をカットし、赤色のＳ蛍光（Ｒ）の波長帯域及び近赤外帯域のＬ蛍光（ＩＲ）より長波長側の波長帯域を通過させる。即ち、励起光カットフィルタ２４を通過する光は、赤色のＳ蛍光（Ｒ）と近赤外帯域のＬ蛍光（ＩＲ）以上の波長帯域である。こうして、撮像素子２６には、Ｓ蛍光及びＬ蛍光が入射する。【００８６】
このようにパターンＡ−ｄにおいては、励起光カットフィルタ２４に入射される光は、可視光及びＳ励起光の波長帯域以外の波長帯域を分離して反射させるビームスプリッタ２３の出射光であり、励起光カットフィルタ２４には、可視光がカットされた光がビームスプリッタ２３から入射される。更に、励起光カットフィルタ２４は、赤色のＳ蛍光（Ｒ）及び近赤外帯域のＬ蛍光（ＩＲ）より長波長の波長帯域のみを通過させるようになっており、励起光カットフィルタ２４において可視光がカットされる。このように、ビームスプリッタ２３及び励起光カットフィルタ２４の両方のフィルタによって、可視光をカットするようになっており、励起光カットフィルタ２４からは可視光（白色光）成分が十分に除去された光が出射される。これにより、撮像素子２６によって得られる蛍光画像には、白色光による成分が含まれないので、高精度の蛍光画像が得られる。【００８７】
このように本実施の形態においては、分光部は、可視光の波長帯域を通過させると共に、通過させた波長帯域以外の波長帯域を反射させる。被写体から分光部を介して白色光観察用の撮像素子に至る光路上には、被写体と分光部との間に第１の励起光カットフィルタが配置される。この第１の励起光カットフィルタによって、白色光観察と２種類の蛍光観察を同時に行う同時観察モードにおける２種類の蛍光を発生させる２種類の励起光のうちの少なくとも一方の波長帯域をカットする。分光部から反射された光には、分光部によりカットされる可視光の波長帯域と第１の励起光カットフィルタによってカットされる励起光の波長帯域とは含まれない。更に、分光部から反射された光は、第１の励起光カットフィルタでは除去されていない励起光の波長帯域と可視光の波長帯域とをカットする第２の励起光カットフィルタを介して蛍光観察用の撮像素子に入射する。蛍光観察用の撮像素子に入射する光は、第１及び第２の励起光カットフィルタよって２種類の励起光がカットされていると共に、分光部及び第２の励起光カットフィルタによって、可視光がカットされている。即ち、可視光は、分光部及び第２の励起光カットフィルタの２つのフィルタによってカットされた後蛍光観察用の撮像素子に入射されており、白色光の影響を受けない高精度の蛍光観察が可能である。【００８８】
なお、２種類の励起光及び２種類の蛍光の波長帯域と可視光の波長帯域との関係によっては、第２の励起光カットフィルタをシングルノッチフィルタで構成し、第２の励起光カットフィルタをハイパスフィルタで構成することもできる。この場合には、２種類の励起光をカットするフィルタとして膜数が少ないフィルタを採用することができ、製造歩留まりが良好となる。【００８９】
（第２の実施の形態）
図１２は本発明の第２の実施の形態を示す説明図である。図１２において図２と同一の構成要素には同一符号を付して説明を省略する。図１２は図２と同一の記載方法によって第２の実施の形態を示すものである。図１２はパターンＡ−ｄに対応した例を示しているが、第２の実施の形態は上述した他のパターンにも同様に適用可能である。【００９０】
本実施の形態は励起光カットフィルタ２２に代えて励起光カットフィルタ７１を採用した点が第１の実施の形態と異なるのみであり、他の構成は図１Ａと同様である。励起光カットフィルタ７１は、配置位置が励起光カットフィルタ２２と異なるのみである。励起光カットフィルタ７１は、戻り光がビームスプリッタ２３に入射されるまでの光路上であって、光学視管２Ａ内に配置されており、励起光カットフィルタ２２と同様の特性を有して、戻り光からＳ励起光及びＬ励起光の少なくとも一方を除去し、除去した波長帯域以外の波長帯域の成分を通過させる。【００９１】
他の構成及び作用は第１の実施の形態と同様である。本実施の形態においては、第１の実施の形態と同様の効果が得られると共に、励起光カットフィルタを有する光学視管２Ａを用いる場合には、カメラユニット２Ｂから１つの励起光フィルタを省略することができるという利点がある。【００９２】
（第３の実施の形態）
図１３は本発明の第３の実施の形態を示す説明図である。図１３において図２と同一の構成要素には同一符号を付して説明を省略する。図１３は図２と同一の記載方法によって第３の実施の形態を示すものである。図１３はパターンＡ−ｄに対応した例を示しているが、第３の実施の形態は上述した他のパターンにも同様に適用可能である。【００９３】
本実施の形態は励起光カットフィルタ２２に代えて励起光カットフィルタ７２を採用した点が第１の実施の形態と異なるのみであり、他の構成は図１Ａと同様である。励起光カットフィルタ７２は、配置位置が励起光カットフィルタ２２と異なるのみである。励起光カットフィルタ７２は、ビームスプリッタ２３と励起光カットフィルタ２４との間の光路上に配置される。励起光カットフィルタ２４は励起光カットフィルタ２２と同様の特性を有して、ビームスプリッタ２３の出射光からＳ励起光の波長帯域及びＬ励起光の波長帯域の少なくとも一方の波長帯域を除去し、除去した波長帯域以外の波長帯域の成分を通過させる。【００９４】
他の構成及び作用は第１の実施の形態と同様である。本実施の形態においては、被写体表面６１からの戻り光は、ビームスプリッタ２３、励起光カットフィルタ７２及び励起光カットフィルタ２４を通過して撮像素子２６に入射されることから、撮像素子２６に入射される光については、第１の実施の形態と同様である。従って、本実施の形態においても、第１の実施の形態と同様の効果を得ることができる。【００９５】
以上の実施の形態においては、カメラユニット２Bに光学部２１、撮像素子２５、２６及び信号処理回路２７が設けられているが、代わりに被検体に挿入される細長の挿入部内に設けてもよい。また、光学部２１、撮像素子２５、２６及び信号処理回路２７は、挿入部内であれば、先端部でも基端部でも、或いは中間部でも、配設可能である。さらに、挿入部は湾曲部を有する可撓管のタイプであってもよい。以上のいずれの場合においても、第１、第２及び第３の実施の形態と同様の効果を有する。【００９６】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。【００９７】
本出願は、２０１５年９月１８日に日本国に出願された特願２０１５−１８５４８９号を優先権主張の基礎として出願するものであり、上記の開示内容は、本願明細書、請求の範囲に引用されるものとする。
【図１Ａ】
2017047140.tif 000003
【図１Ｂ】
2017047140.tif 000004
【図１Ｃ】
2017047140.tif 000005
【図２】
2017047140.tif 000006
【図３】
2017047140.tif 000007
【図４】
2017047140.tif 000008
【図５】
2017047140.tif 000009
【図６】
2017047140.tif 000010
【図７】
2017047140.tif 000011
【図８】
2017047140.tif 000012
【図９】
2017047140.tif 000013
【図１０】
2017047140.tif 000014
【図１１】
2017047140.tif 000015
【図１２】
2017047140.tif 000016
【図１３】
2017047140.tif 000017
【手続補正書】
【提出日】平成28年12月26日(2016.12.26)
【手続補正１】
【補正対象書類名】明細書
【補正対象項目名】０００８
【補正方法】変更
【補正の内容】
【０００８】
本発明の一態様により内視鏡装置は、可視光、第１の励起光及び前記第１の励起光よりも長波長の第２の励起光が照射された被写体からの戻り光の光軸上に配置され、前記可視光の波長帯域を含む第１の波長帯域を分光して白色光観察用の撮像素子に入射させると共に、前記第１の波長帯域以外の第２の波長帯域を分光して出射する分光部と、前記被写体と前記分光部との間の前記光軸上に配置されて前記戻り光に含まれる前記第１及び第２の励起光のうちの一方の励起光の波長帯域を阻止して阻止した波長帯域以外の波長帯域の前記戻り光を前記分光部に出射する第１の励起光カットフィルタと、前記分光部から出射された前記第２の波長帯域の光の光軸上に配置されて前記第１及び第２の励起光のうちの他方の励起光の波長帯域及び前記可視光の波長帯域を阻止して前記第１の蛍光の波長帯域の光及び前記第１の蛍光の波長帯域よりも長波長の光を通過させ、阻止した波長帯域以外の波長帯域の光を蛍光観察用の撮像素子に出射する第２の励起光カットフィルタとを具備する。
また、本発明の他の態様による内視鏡装置は、被写体からの戻り光の光軸上に配置され、可視光の波長帯域を含む第１の波長帯域を分光して白色光観察用の撮像素子に入射させると共に、前記第１の波長帯域以外の第２の波長帯域を分光して前記光軸の方向とは異なる方向に出射する分光部と、前記被写体と前記分光部との間の前記光軸上に配置されて前記戻り光に含まれる第１及び第２の励起光のうちの少なくとも一方の励起光の波長帯域を阻止して阻止した波長帯域以外の波長帯域の前記戻り光を前記分光部に出射する第１の励起光カットフィルタと、前記分光部から出射された前記第２の波長帯域の光の光軸上に配置されて前記第１及び第２の励起光のうち前記第１の励起光カットフィルタによって阻止されない励起光の波長帯域及び前記可視光の波長帯域を阻止して阻止した波長帯域以外の波長帯域の光を蛍光観察用の撮像素子に出射する第２の励起光カットフィルタとを具備し、前記第２の励起光は前記第１の励起光よりも長波長であり、前記第１の励起光及び前記第１の励起光に基づいて前記被写体から発生する第１の蛍光は、前記可視光の波長帯域に含まれ、前記第２の励起光及び前記第２の励起光に基づいて前記被写体から発生する第２の蛍光は、前記可視光よりも長波長であり、前記第１の励起光カットフィルタは、前記第１及び第２の励起光の波長帯域を阻止し、前記第２の励起光カットフィルタは、前記第１の蛍光の波長帯域及び前記第２の蛍光の波長帯域よりも長い波長帯域を通過させる。
また、本発明の他の態様による内視鏡装置は、被写体からの戻り光の光軸上に配置され、可視光の波長帯域を含む第１の波長帯域を分光して白色光観察用の撮像素子に入射させると共に、前記第１の波長帯域以外の第２の波長帯域を分光して前記光軸の方向とは異なる方向に出射する分光部と、前記被写体と前記分光部との間の前記光軸上に配置されて前記戻り光に含まれる第１及び第２の励起光のうちの少なくとも一方の励起光の波長帯域を阻止して阻止した波長帯域以外の波長帯域の前記戻り光を前記分光部に出射する第１の励起光カットフィルタと、前記分光部から出射された前記第２の波長帯域の光の光軸上に配置されて前記第１及び第２の励起光のうち前記第１の励起光カットフィルタによって阻止されない励起光の波長帯域及び前記可視光の波長帯域を阻止して阻止した波長帯域以外の波長帯域の光を蛍光観察用の撮像素子に出射する第２の励起光カットフィルタとを具備し、前記第２の励起光は前記第１の励起光よりも長波長であり、前記第１の励起光及び前記第１の励起光に基づいて前記被写体から発生する第１の蛍光は、前記可視光の波長帯域に含まれ、前記第２の励起光及び前記第２の励起光に基づいて前記被写体から発生する第２の蛍光は、前記可視光よりも長波長であり、前記第１の励起光カットフィルタは、前記第１の励起光の波長帯域を阻止し、前記第２の励起光カットフィルタは、前記第１の蛍光の波長帯域及び前記第２の蛍光の波長帯域よりも長い波長帯域を通過させる。
また、本発明の他の態様による内視鏡装置は、被写体からの戻り光の光軸上に配置され、可視光の波長帯域を含む第１の波長帯域を分光して白色光観察用の撮像素子に入射させると共に、前記第１の波長帯域以外の第２の波長帯域を分光して前記光軸の方向とは異なる方向に出射する分光部と、前記被写体と前記分光部との間の前記光軸上に配置されて前記戻り光に含まれる第１及び第２の励起光のうちの少なくとも一方の励起光の波長帯域を阻止して阻止した波長帯域以外の波長帯域の前記戻り光を前記分光部に出射する第１の励起光カットフィルタと、前記分光部から出射された前記第２の波長帯域の光の光軸上に配置されて前記第１及び第２の励起光のうち前記第１の励起光カットフィルタによって阻止されない励起光の波長帯域及び前記可視光の波長帯域を阻止して阻止した波長帯域以外の波長帯域の光を蛍光観察用の撮像素子に出射する第２の励起光カットフィルタとを具備し、前記第２の励起光は前記第１の励起光よりも長波長であり、前記第１の励起光は、前記可視光の波長帯域に含まれ、前記第１の励起光に基づいて前記被写体から発生する第１の蛍光、前記第２の励起光及び前記第２の励起光に基づいて前記被写体から発生する第２の蛍光は、前記可視光よりも長波長であり、前記第１の励起光カットフィルタは、前記第１の励起光の波長帯域を阻止し、前記第２の励起光カットフィルタは、前記第１の蛍光の波長帯域及び前記第２の蛍光の波長帯域よりも長い波長帯域を通過させる。
【手続補正２】
【補正対象書類名】特許請求の範囲
【補正対象項目名】全文
【補正方法】変更
【補正の内容】
【特許請求の範囲】
【請求項１】
可視光、第１の励起光及び前記第１の励起光よりも長波長の第２の励起光が照射された被写体からの戻り光の光軸上に配置され、前記可視光の波長帯域を含む第１の波長帯域を分光して白色光観察用の撮像素子に入射させると共に、前記第１の波長帯域以外の第２の波長帯域を分光して出射する分光部と、
前記被写体と前記分光部との間の前記光軸上に配置されて前記戻り光に含まれる前記第１及び第２の励起光のうちの一方の励起光の波長帯域を阻止して阻止した波長帯域以外の波長帯域の前記戻り光を前記分光部に出射する第１の励起光カットフィルタと、
前記分光部から出射された前記第２の波長帯域の光の光軸上に配置されて前記第１及び第２の励起光のうちの他方の励起光の波長帯域及び前記可視光の波長帯域を阻止して前記第１の蛍光の波長帯域の光及び前記第１の蛍光の波長帯域よりも長波長の光を通過させ、阻止した波長帯域以外の波長帯域の光を蛍光観察用の撮像素子に出射する第２の励起光カットフィルタと
を具備したことを特徴とする内視鏡装置。
【請求項２】
前記第１の励起光カットフィルタは、前記第２の励起光のみを阻止するシングルノッチフィルタにより構成され、
前記第２の励起光カットフィルタは、前記第１の蛍光の波長帯域よりも長波長を通過させるハイパスフィルタによって構成される
ことを特徴とする請求項１に記載の内視鏡装置。
【請求項３】
前記被写体からの戻り光に含まれ、前記第１の励起光に基づいて前記被写体から発生する第１の蛍光は、青色、緑色又は赤色であり、
前記被写体からの戻り光に含まれ、前記第２の励起光に基づいて前記被写体から発生する第２の蛍光は、前記可視光よりも長波長である
ことを特徴とする請求項１に記載の内視鏡装置。
【請求項４】
前記第１の波長帯域には、前記第１及び第２の励起光の波長帯域は含まれない
ことを特徴とする請求項１に記載の内視鏡装置。
【請求項５】
前記第１の波長帯域には、前記第１及び第２の励起光のいずれか一方の励起光の波長帯域が含まれる
ことを特徴とする請求項１に記載の内視鏡装置。
【請求項６】
被写体からの戻り光の光軸上に配置され、可視光の波長帯域を含む第１の波長帯域を分光して白色光観察用の撮像素子に入射させると共に、前記第１の波長帯域以外の第２の波長帯域を分光して前記光軸の方向とは異なる方向に出射する分光部と、
前記被写体と前記分光部との間の前記光軸上に配置されて前記戻り光に含まれる第１及び第２の励起光のうちの少なくとも一方の励起光の波長帯域を阻止して阻止した波長帯域以外の波長帯域の前記戻り光を前記分光部に出射する第１の励起光カットフィルタと、
前記分光部から出射された前記第２の波長帯域の光の光軸上に配置されて前記第１及び第２の励起光のうち前記第１の励起光カットフィルタによって阻止されない励起光の波長帯域及び前記可視光の波長帯域を阻止して阻止した波長帯域以外の波長帯域の光を蛍光観察用の撮像素子に出射する第２の励起光カットフィルタと
を具備し、
前記第２の励起光は前記第１の励起光よりも長波長であり、
前記第１の励起光及び前記第１の励起光に基づいて前記被写体から発生する第１の蛍光は、前記可視光の波長帯域に含まれ、
前記第２の励起光及び前記第２の励起光に基づいて前記被写体から発生する第２の蛍光は、前記可視光よりも長波長であり、
前記第１の励起光カットフィルタは、前記第１及び第２の励起光の波長帯域を阻止し、
前記第２の励起光カットフィルタは、前記第１の蛍光の波長帯域及び前記第２の蛍光の波長帯域よりも長い波長帯域を通過させる
ことを特徴とする内視鏡装置。
【請求項７】
被写体からの戻り光の光軸上に配置され、可視光の波長帯域を含む第１の波長帯域を分光して白色光観察用の撮像素子に入射させると共に、前記第１の波長帯域以外の第２の波長帯域を分光して前記光軸の方向とは異なる方向に出射する分光部と、
前記被写体と前記分光部との間の前記光軸上に配置されて前記戻り光に含まれる第１及び第２の励起光のうちの少なくとも一方の励起光の波長帯域を阻止して阻止した波長帯域以外の波長帯域の前記戻り光を前記分光部に出射する第１の励起光カットフィルタと、
前記分光部から出射された前記第２の波長帯域の光の光軸上に配置されて前記第１及び第２の励起光のうち前記第１の励起光カットフィルタによって阻止されない励起光の波長帯域及び前記可視光の波長帯域を阻止して阻止した波長帯域以外の波長帯域の光を蛍光観察用の撮像素子に出射する第２の励起光カットフィルタと
を具備し、
前記第２の励起光は前記第１の励起光よりも長波長であり、
前記第１の励起光及び前記第１の励起光に基づいて前記被写体から発生する第１の蛍光は、前記可視光の波長帯域に含まれ、
前記第２の励起光及び前記第２の励起光に基づいて前記被写体から発生する第２の蛍光は、前記可視光よりも長波長であり、
前記第１の励起光カットフィルタは、前記第１の励起光の波長帯域を阻止し、
前記第２の励起光カットフィルタは、前記第１の蛍光の波長帯域及び前記第２の蛍光の波長帯域よりも長い波長帯域を通過させる
ことを特徴とする内視鏡装置。
【請求項８】
被写体からの戻り光の光軸上に配置され、可視光の波長帯域を含む第１の波長帯域を分光して白色光観察用の撮像素子に入射させると共に、前記第１の波長帯域以外の第２の波長帯域を分光して前記光軸の方向とは異なる方向に出射する分光部と、
前記被写体と前記分光部との間の前記光軸上に配置されて前記戻り光に含まれる第１及び第２の励起光のうちの少なくとも一方の励起光の波長帯域を阻止して阻止した波長帯域以外の波長帯域の前記戻り光を前記分光部に出射する第１の励起光カットフィルタと、
前記分光部から出射された前記第２の波長帯域の光の光軸上に配置されて前記第１及び第２の励起光のうち前記第１の励起光カットフィルタによって阻止されない励起光の波長帯域及び前記可視光の波長帯域を阻止して阻止した波長帯域以外の波長帯域の光を蛍光観察用の撮像素子に出射する第２の励起光カットフィルタと
を具備し、
前記第２の励起光は前記第１の励起光よりも長波長であり、
前記第１の励起光は、前記可視光の波長帯域に含まれ、
前記第１の励起光に基づいて前記被写体から発生する第１の蛍光、前記第２の励起光及び前記第２の励起光に基づいて前記被写体から発生する第２の蛍光は、前記可視光よりも長波長であり、
前記第１の励起光カットフィルタは、前記第１の励起光の波長帯域を阻止し、
前記第２の励起光カットフィルタは、前記第１の蛍光の波長帯域及び前記第２の蛍光の波長帯域よりも長い波長帯域を通過させる
ことを特徴とする内視鏡装置。
【手続補正書】
【提出日】平成29年5月10日(2017.5.10)
【手続補正１】
【補正対象書類名】明細書
【補正対象項目名】０００８
【補正方法】変更
【補正の内容】
【０００８】
本発明の一態様による内視鏡装置は、可視光、第１の励起光及び前記第１の励起光よりも長波長の第２の励起光が照射された被写体からの戻り光の光軸上に配置され、前記可視光の波長帯域を含む第１の波長帯域を分光して白色光観察用の撮像素子に入射させると共に、前記第１の波長帯域以外の第２の波長帯域を分光して出射する分光部と、前記被写体と前記分光部との間の前記光軸上に配置されて前記戻り光に含まれる前記第１及び第２の励起光のうちの一方の励起光の波長帯域を阻止して阻止した波長帯域以外の波長帯域の前記戻り光を前記分光部に出射する第１の励起光カットフィルタと、前記分光部から出射された前記第２の波長帯域の光の光軸上に配置されて前記第１及び第２の励起光のうちの他方の励起光の波長帯域及び前記可視光の波長帯域を阻止して前記第１の励起光により励起される第１の蛍光の波長帯域の光及び前記第２の励起光により励起される第２の蛍光の波長帯域の光を通過させ、阻止した波長帯域以外の波長帯域の光を蛍光観察用の撮像素子に出射する第２の励起光カットフィルタとを具備する。
【手続補正２】
【補正対象書類名】特許請求の範囲
【補正対象項目名】全文
【補正方法】変更
【補正の内容】
【特許請求の範囲】
【請求項１】
可視光、第１の励起光及び前記第１の励起光よりも長波長の第２の励起光が照射された被写体からの戻り光の光軸上に配置され、前記可視光の波長帯域を含む第１の波長帯域を分光して白色光観察用の撮像素子に入射させると共に、前記第１の波長帯域以外の第２の波長帯域を分光して出射する分光部と、
前記被写体と前記分光部との間の前記光軸上に配置されて前記戻り光に含まれる前記第１及び第２の励起光のうちの一方の励起光の波長帯域を阻止して阻止した波長帯域以外の波長帯域の前記戻り光を前記分光部に出射する第１の励起光カットフィルタと、
前記分光部から出射された前記第２の波長帯域の光の光軸上に配置されて前記第１及び第２の励起光のうちの他方の励起光の波長帯域及び前記可視光の波長帯域を阻止して前記第１の励起光により励起される第１の蛍光の波長帯域の光及び前記第２の励起光により励起される第２の蛍光の波長帯域の光を通過させ、阻止した波長帯域以外の波長帯域の光を蛍光観察用の撮像素子に出射する第２の励起光カットフィルタと
を具備したことを特徴とする内視鏡装置。
【請求項２】
前記第１の励起光カットフィルタは、前記第２の励起光のみを阻止するシングルノッチフィルタにより構成され、
前記第２の励起光カットフィルタは、前記第１の蛍光の波長帯域よりも長波長を通過させるハイパスフィルタによって構成される
ことを特徴とする請求項１に記載の内視鏡装置。
【請求項３】
前記第１の蛍光は、青色、緑色又は赤色であり、
前記第２の蛍光は、前記可視光よりも長波長である
ことを特徴とする請求項１に記載の内視鏡装置。
【請求項４】
前記第１の波長帯域には、前記第１及び第２の励起光の波長帯域は含まれない
ことを特徴とする請求項１に記載の内視鏡装置。
【請求項５】
前記第１の波長帯域には、前記第１及び第２の励起光のいずれか一方の励起光の波長帯域が含まれる
ことを特徴とする請求項１に記載の内視鏡装置。
【請求項６】
被写体からの戻り光の光軸上に配置され、可視光の波長帯域を含む第１の波長帯域を分光して白色光観察用の撮像素子に入射させると共に、前記第１の波長帯域以外の第２の波長帯域を分光して前記光軸の方向とは異なる方向に出射する分光部と、
前記被写体と前記分光部との間の前記光軸上に配置されて前記戻り光に含まれる第１及び第２の励起光のうちの少なくとも一方の励起光の波長帯域を阻止して阻止した波長帯域以外の波長帯域の前記戻り光を前記分光部に出射する第１の励起光カットフィルタと、
前記分光部から出射された前記第２の波長帯域の光の光軸上に配置されて前記第１及び第２の励起光のうち前記第１の励起光カットフィルタによって阻止されない励起光の波長帯域及び前記可視光の波長帯域を阻止して阻止した波長帯域以外の波長帯域の光を蛍光観察用の撮像素子に出射する第２の励起光カットフィルタと
を具備し、
前記第２の励起光は前記第１の励起光よりも長波長であり、
前記第１の励起光及び前記第１の励起光に基づいて前記被写体から発生する第１の蛍光は、前記可視光の波長帯域に含まれ、
前記第２の励起光及び前記第２の励起光に基づいて前記被写体から発生する第２の蛍光は、前記可視光よりも長波長であり、
前記第１の励起光カットフィルタは、前記第１及び第２の励起光の波長帯域を阻止し、
前記第２の励起光カットフィルタは、前記第１の蛍光の波長帯域及び前記第２の蛍光の波長帯域よりも長い波長帯域を通過させる
ことを特徴とする内視鏡装置。
【請求項７】
被写体からの戻り光の光軸上に配置され、可視光の波長帯域を含む第１の波長帯域を分光して白色光観察用の撮像素子に入射させると共に、前記第１の波長帯域以外の第２の波長帯域を分光して前記光軸の方向とは異なる方向に出射する分光部と、
前記被写体と前記分光部との間の前記光軸上に配置されて前記戻り光に含まれる第１及び第２の励起光のうちの少なくとも一方の励起光の波長帯域を阻止して阻止した波長帯域以外の波長帯域の前記戻り光を前記分光部に出射する第１の励起光カットフィルタと、
前記分光部から出射された前記第２の波長帯域の光の光軸上に配置されて前記第１及び第２の励起光のうち前記第１の励起光カットフィルタによって阻止されない励起光の波長帯域及び前記可視光の波長帯域を阻止して阻止した波長帯域以外の波長帯域の光を蛍光観察用の撮像素子に出射する第２の励起光カットフィルタと
を具備し、
前記第２の励起光は前記第１の励起光よりも長波長であり、
前記第１の励起光及び前記第１の励起光に基づいて前記被写体から発生する第１の蛍光は、前記可視光の波長帯域に含まれ、
前記第２の励起光及び前記第２の励起光に基づいて前記被写体から発生する第２の蛍光は、前記可視光よりも長波長であり、
前記第１の励起光カットフィルタは、前記第１の励起光の波長帯域を阻止し、
前記第２の励起光カットフィルタは、前記第１の蛍光の波長帯域及び前記第２の蛍光の波長帯域よりも長い波長帯域を通過させる
ことを特徴とする内視鏡装置。
【請求項８】
被写体からの戻り光の光軸上に配置され、可視光の波長帯域を含む第１の波長帯域を分光して白色光観察用の撮像素子に入射させると共に、前記第１の波長帯域以外の第２の波長帯域を分光して前記光軸の方向とは異なる方向に出射する分光部と、
前記被写体と前記分光部との間の前記光軸上に配置されて前記戻り光に含まれる第１及び第２の励起光のうちの少なくとも一方の励起光の波長帯域を阻止して阻止した波長帯域以外の波長帯域の前記戻り光を前記分光部に出射する第１の励起光カットフィルタと、
前記分光部から出射された前記第２の波長帯域の光の光軸上に配置されて前記第１及び第２の励起光のうち前記第１の励起光カットフィルタによって阻止されない励起光の波長帯域及び前記可視光の波長帯域を阻止して阻止した波長帯域以外の波長帯域の光を蛍光観察用の撮像素子に出射する第２の励起光カットフィルタと
を具備し、
前記第２の励起光は前記第１の励起光よりも長波長であり、
前記第１の励起光は、前記可視光の波長帯域に含まれ、
前記第１の励起光に基づいて前記被写体から発生する第１の蛍光、前記第２の励起光及び前記第２の励起光に基づいて前記被写体から発生する第２の蛍光は、前記可視光よりも長波長であり、
前記第１の励起光カットフィルタは、前記第１の励起光の波長帯域を阻止し、
前記第２の励起光カットフィルタは、前記第１の蛍光の波長帯域及び前記第２の蛍光の波長帯域よりも長い波長帯域を通過させる
ことを特徴とする内視鏡装置。
【国際調査報告】
2017047140.tif 000018
2017047140.tif 000019
2017047140.tif 000020
2017047140.tif 000021